(57)【要約】【課題】電子機器装置において、電源がオフになっているときに時計の示す時刻が修正される回数を減らす。【解決手段】電子機器装置である光ディスクレコーダは、電源がオフになっているときに、電源をオンにして、テレビジョン信号に含まれる時報信号に基いて、時計の示す時刻を修正し、その後、電源をオフにする電源オフ時時刻修正動作を行う。光ディスクレコーダは、電源をオフにしたとき（＃４でＹＥＳ）、電源オン中に時計の時刻を修正した場合には（＃５でＹＥＳ）、タイマをクリアして（＃６）、タイマをスタートさせ（＃７）、その後、タイマの測定時間が規定時間（例えば２４時間）以上になると（＃８でＹＥＳ）、電源オフ時時刻修正動作を行って、時計の時刻を修正する（＃９）。これにより、電源がオフになっているときに時計の時刻が修正されるのは、電源オン中に時計の時刻が修正されて電源がオフになってから、規定時間が経過した以降となる。【選択図】図２
2011017655.tif 000002
【特許請求の範囲】
【請求項１】
時間を計測して時刻を示す時計と、テレビジョン放送局から放送されるテレビジョン信号に含まれる時報信号に基いて、前記時計の示す時刻を自動的に修正する自動時刻修正手段とを備える電子機器装置において、
前記自動時刻修正手段は、
本装置の電源がオフになっているときに、本装置の電源をオンにして、前記テレビジョン信号に含まれる時報信号に基いて、前記時計の示す時刻を修正し、その後、本装置の電源をオフにする電源オフ時時刻修正動作を行う電源オフ時時刻修正手段を有し、
前記時計の示す時刻を修正して本装置の電源がオフになってから、前記時計の示す時刻を修正することなく、予め設定された少なくとも２４時間以上の規定時間が経過し、かつ、本装置の電源がオフになっている場合に、前記電源オフ時時刻修正手段により前記電源オフ時時刻修正動作を行って、前記時計の示す時刻を修正する、
ことを特徴とする電子機器装置。
【請求項２】
前記規定時間をユーザによる操作を受けて設定する規定時間設定手段をさらに備える、
ことを特徴とする請求項１に記載の電子機器装置。
【請求項３】
前記時計の示す時刻に基いて、ユーザの操作により指定された時刻に放送されるテレビジョン信号に基く番組を録画する時刻予約録画手段をさらに備える、
ことを特徴とする請求項１に記載の電子機器装置。
【発明の詳細な説明】
【技術分野】
【０００１】
本発明は、テレビジョン放送局から放送されるテレビジョン信号に含まれる時報信号に基いて、時計の示す時刻を自動的に修正する機能を有する電子機器装置に関するものである。
【背景技術】
【０００２】
従来から、例えば光ディスクレコーダのようなテレビジョン信号に基く番組を録画する電子機器装置は、一般的に、時刻を表示したり、ユーザにより指定された時刻に録画開始、録画終了するために、時計を備えている。また、このような電子機器装置は、一般的に、時計の示す時刻を自動的に修正する自動時刻修正機能を備えている。この自動時刻修正機能は、テレビジョン信号に含まれる時報信号に基いて、時計の示す時刻を自動的に修正することにより、時計の示す時刻がずれないようにする機能である。
【０００３】
このような電子機器装置は、電子機器装置の電源がオフになっているときに、自動時刻修正機能を働かせて、時計の示す時刻を修正するようになっている。すなわち、電子機器装置の電源がオフになっているときに、自動的に電子機器装置の電源を内部的に立ち上げて（電源をオンにして）、テレビジョン信号を受信し、テレビジョン信号に含まれる時報信号に基いて、時計の示す時刻を修正し、その後、自動的に電子機器装置の電源をオフにする動作（電源オフ時時刻修正動作）を行うようになっている。従来の電子機器装置では、１日に１回、ある特定の時刻（例えば夜中の３時）において、電子機器装置の電源がオフになっているときに、電源オフ時時刻修正動作を行って、時計の示す時刻を修正するようになっている。
【０００４】
一方、現在時刻を読み続ける現在時刻タイマの示す時刻と放送波から取得した時刻情報による時刻とを比較し、その差分に基いて、現在時刻タイマの示す時刻を更新するようにした電子機器装置が知られている（例えば特許文献１）。また、電源オフの状態において、予め設定された時刻（例えば午前３時）が到来した場合に、自動的に電源オンの状態にして、テレビジョン信号を受信し、テレビジョン信号に含まれる時刻情報に基いて、時計の示す時刻を修正し、また、ユーザにより電源オンにされた状態において、受信中のテレビジョン信号に時刻情報が含まれている場合に、その時刻情報に基いて、時計の示す時刻を修正するようにした電子機器装置が知られている（例えば特許文献２参照）。また、予め設定しておいた時刻（例えば正午）に電源がオフ状態の場合に、自動的にテレビジョン信号を受信して、テレビジョン信号に含まれる時報音声信号に基いて、内蔵時計の時刻を自動的に修正するようにした電子機器装置が知られている（例えば特許文献３参照）。また、ラジオ局から送信される時報信号を受信可能な時刻を検出して、時報信号を受信可能な時刻を時刻修正を行う時刻に設定し、そして、その設定した時刻に受信した時報信号に基いて、時計部の時刻を修正するようにした電子機器装置が知られている（例えば特許文献４参照）。
【先行技術文献】
【特許文献】
【０００５】
【特許文献１】特開２００８−５８０９７号公報
【特許文献２】特開２００２−１６８９７７号公報
【特許文献３】実用新案登録第３０９６０８５号公報
【特許文献４】実開平０７−１２９９８号公報
【発明の概要】
【発明が解決しようとする課題】
【０００６】
ところで、上述した従来の電子機器装置においては、１日に１回、ある特定の時刻（例えば夜中の３時）において、電源がオフになっているときに、電源オフ時時刻修正動作を行って（自動的に電源をオンにして）、時計の示す時刻を自動的に修正するようになっている。このため、例えば、ある特定の時刻の直前（例えば夜中の２時５９分）に、ユーザによって電源がオフにされた場合であっても、その直後（例えば１分後の夜中の３時）に、電源オフ時時刻修正動作を行って、時計の示す時刻を自動的に修正することになる。このとき、もし、ユーザによって電源がオフにされる直前（例えば夜中の２時５８分）に、時計の示す時刻が修正されていたとすれば、ある特定の時刻（例えば夜中の３時）に行われる電源オフ時時刻修正動作による時刻の修正は、無駄なものとなり、電力を無駄に消費することになる。
【０００７】
また、電源がオフになっているときに、電源オフ時時刻修正動作を行って（自動的に電源をオンにして）、時計の示す時刻を修正すると、その分だけ、電力を消費することになる。これに対し、ユーザによって電源がオンにされてテレビジョン信号を受信しているときに、そのテレビジョン信号に含まれている時報信号に基いて時計の示す時刻を修正すれば、ユーザの使用目的に使われる電力を利用して時計の示す時刻を修正することができるため、電源がオフになっているときに電源オフ時時刻修正動作を行って時計の示す時刻を修正するのと比較して、電力の消費を抑えることができる。
【０００８】
すなわち、ユーザによって電源がオンにされているときに、時計の示す時刻を修正するようにし、電源がオフになっているときには、時計の示す時刻を修正する回数（電源オフ時時刻修正動作を行う回数）を減らすことが、消費電力を抑えることに繋がる。なお、上述した特許文献１乃至特許文献４に開示の内容を適用したとしても、上記の問題を解決することはできない。
【０００９】
本発明は、上記課題を解決するためになされたものであり、電源がオフになっているときに時計の示す時刻が修正される回数を減らすことができる電子機器装置を提供することを目的とする。
【課題を解決するための手段】
【００１０】
上記目的を達成するために請求項１の発明は、時間を計測して時刻を示す時計と、テレビジョン放送局から放送されるテレビジョン信号に含まれる時報信号に基いて、時計の示す時刻を自動的に修正する自動時刻修正手段とを備える電子機器装置において、自動時刻修正手段は、本装置の電源がオフになっているときに、本装置の電源をオンにして、テレビジョン信号に含まれる時報信号に基いて、時計の示す時刻を修正し、その後、本装置の電源をオフにする電源オフ時時刻修正動作を行う電源オフ時時刻修正手段を有し、時計の示す時刻を修正して本装置の電源がオフになってから、時計の示す時刻を修正することなく、予め設定された少なくとも２４時間以上の規定時間が経過し、かつ、本装置の電源がオフになっている場合に、電源オフ時時刻修正手段により電源オフ時時刻修正動作を行って、時計の示す時刻を修正するものである。
【００１１】
請求項２の発明は、請求項１に記載の電子機器装置において、規定時間をユーザによる操作を受けて設定する規定時間設定手段をさらに備えるものである。
【００１２】
請求項３の発明は、請求項１に記載の電子機器装置において、時計の示す時刻に基いて、ユーザの操作により指定された時刻に放送されるテレビジョン信号に基く番組を録画する時刻予約録画手段をさらに備えるものである。
【発明の効果】
【００１３】
請求項１乃至請求項３の発明によれば、電源オン中に時計の示す時刻が修正された場合には、その後に電源がオフになってから２４時間以上の規定時間が経過するまでは、電源オフ時時刻修正動作が行われない。すなわち、電源がオフになっているときに時計の示す時刻が修正されるのは、電源オン中に時計の示す時刻が修正されて電源がオフになってから、２４時間以上の規定時間が経過した以降となる。従って、従来の構成（１日に１回、ある特定の時刻において、電源がオフになっているときに、電源オフ時時刻修正動作を行って、時計の示す時刻を自動的に修正する構成）と比較して、電源がオフになっているときに時計の示す時刻が修正される回数（電源オフ時時刻修正動作が行われる回数）を減らすことができ、消費電力を抑えることができる。
【図面の簡単な説明】
【００１４】
【図１】本発明の一実施形態に係る光ディスクレコーダの概略構成を示す電気的ブロック構成図。
【図２】同光ディスクレコーダの自動時刻修正動作を示すフローチャート。
【発明を実施するための形態】
【００１５】
以下、本発明を具体化した実施形態による電子機器装置について図面を参照して説明する。図１は、本実施形態による電子機器装置である光ディスクレコーダの構成を示す。光ディスクレコーダ１は、テレビジョン放送局から放送されるテレビジョン信号を受信して、テレビジョン信号に基く番組を録画、録音し、録画、録音した番組を再生する装置である。光ディスクレコーダ１は、外部装置９０を接続して使用するようになっており、録画、録音した番組を、外部装置９０によって再生するようになっている。
【００１６】
光ディスクレコーダ１は、チューナ２と、エンコーダ３と、光ディスクドライブ４と、デコーダ５と、時計６と、時刻表示部７と、タイマ８と、リモコン９と、リモコン受信部１０と、光ディスクレコーダ１の動作を制御する制御部１１等を備える。この光ディスクレコーダ１は、テレビジョン放送局から放送されるテレビジョン信号に含まれる時報信号（時刻や日付の情報）に基いて、時計６の示す時刻を自動的に修正する自動時刻修正機能を備えている。
【００１７】
チューナ２は、制御部１１による制御のもと、受信周波数がテレビジョン信号の放送チャンネルに対応する周波数に設定されることにより、そのチャンネル（その周波数）のテレビジョン信号を受信し、受信したテレビジョン信号を出力する。エンコーダ３は、チューナ２から出力されたテレビジョン信号から、テレビジョン信号に含まれている映像信号及び音声信号を抽出し、そして、それら映像信号及び音声信号をエンコード処理して、映像データ及び音声データを生成する。また、エンコーダ３は、チューナ２から出力されたテレビジョン信号から、テレビジョン信号に含まれている時報信号（時刻や日付の情報）を抽出する。
【００１８】
光ディスクドライブ４は、ＤＶＤ、ＢＤ（ブルーレイディスク）等の光ディスク４０が装着／取外しされるようになっており、制御部１１による制御のもと、エンコーダ３により生成された映像データ及び音声データを記録する。また、光ディスクドライブ４は、制御部１１による制御のもと、光ディスク４０に記録されている映像データ及び音声データを読出す。
【００１９】
デコーダ５は、制御部１１による制御のもと、光ディスクドライブ４により光ディスク４０から読出された映像データ及び音声データをデコード処理して、それら映像データ及び音声データから映像信号及び音声信号を再生する。また、デコーダ５は、制御部１１による制御のもと、エンコーダ３により生成された映像データ及び音声データをデコード処理して、それら映像データ及び音声データから映像信号及び音声信号を再生する。デコーダ５により再生された映像信号及び音声信号は、外部装置９０に供給され、これにより、デコーダ５により再生された映像信号による映像が外部装置９０のディスプレイ９１に表示されると共に、デコーダ５により再生された音声信号による音声が外部装置９０のスピーカ９２から出力される。
【００２０】
時計６は、時間を計測して、時刻を示す時刻信号を出力する。また、時計６は、時刻を修正する機能を有しており、制御部１１による制御のもと、時刻を修正するようになっている。時刻表示部７は、時計６から出力される時刻信号に基いて、時計６の示す時刻を表示する。タイマ８は、制御部１１による制御のもと、時間を測定し、その測定時間（時間の測定を開始してからの経過時間）を示すタイマ時間信号を出力する。
【００２１】
リモコン９は、光ディスクレコーダ１の電源のオン／オフ、放送チャンネルの選択、テレビジョン信号に基く番組の録画、録画した番組の再生等、光ディスクレコーダ１の各種動作を指示するためにユーザに操作され、その操作内容を示す操作信号を送信する。リモコン受信部１０は、リモコン９から送信された操作信号を受信して、リモコン９の操作内容を示すリモコン受信信号を出力する。
【００２２】
制御部１１は、光ディスクレコーダ１の動作を制御するためのプログラムや各種データを記憶したメモリを有しており、このメモリに記憶しているプログラムや各種データに基いて、光ディスクレコーダ１の各種動作を制御する。制御部１１は、光ディスクレコーダ１の各種動作として、電源オン／オフ動作、放送番組視聴動作、放送番組録画動作、録画番組再生動作、自動時刻修正動作等の動作を制御する。
【００２３】
電源オン／オフ動作とは、光ディスクレコーダ１の電源をオンとオフとに切り替える動作である。制御部１１は、チューナ２、エンコーダ３、光ディスクドライブ４、デコーダ５に電源を供給することにより、光ディスクレコーダ１の電源をオンにし、チューナ２、エンコーダ３、光ディスクドライブ４、デコーダ５への電源供給を断つことにより、光ディスクレコーダ１の電源をオフにする。なお、光ディスクレコーダ１の電源のオン、オフに関わらず、時計６、時刻表示部７、タイマ８、リモコン受光部１０、制御部１１には、常に電源が供給されており、光ディスクレコーダ１の電源がオフになっているときにも、時計６、時刻表示部７、タイマ８、リモコン受光部１０、制御部１１は、動作している。光ディスクレコーダ１の電源オン／オフ動作は、ユーザによるリモコン９の操作を受けて又は自動的に行われる。
【００２４】
放送番組視聴動作とは、テレビジョン放送局から放送されているテレビジョン信号に基く番組を外部装置９０によって視聴可能に出力する動作である。制御部１１は、テレビジョン放送局から放送されるテレビジョン信号をチューナ２により受信させ、エンコーダ３により生成された映像データ及び音声データをデコーダ５によりデコード処理させることにより、放送番組視聴動作を行う。これにより、テレビジョン放送局から放送されているテレビジョン信号に基く番組の映像信号及び音声信号が外部装置９０に供給され、テレビジョン放送局から放送されているテレビジョン信号に基く番組が外部装置９０によって視聴可能に出力される。放送番組視聴動作は、光ディスクレコーダ１の電源がオンになっているときに、ユーザによるリモコン９の操作を受けて行われる。
【００２５】
放送番組録画動作とは、テレビジョン放送局から放送されているテレビジョン信号に基く番組を光ディスク４０に録画、録音する動作である。制御部１１は、テレビジョン放送局から放送されるテレビジョン信号をチューナ２により受信させ、エンコーダ３により生成された映像データ及び音声データを光ディスクドライブ４により光ディスク４０に記録させることにより、放送番組録画動作を行う。これにより、テレビジョン放送局から放送されているテレビジョン信号に基く番組が光ディスク４０に録画、録音される。放送番組録画動作には、通常録画（即時録画）動作と時刻予約録画動作がある。
【００２６】
通常録画動作とは、ユーザの操作による録画開始の指示を受けて、そのときに放送されているテレビジョン信号に基く番組を光ディスク４０に録画、録音する動作である。通常録画動作は、光ディスクレコーダ１の電源がオンになっているときに、ユーザによるリモコン９の操作を受けて行われる。
【００２７】
時刻予約録画動作とは、ユーザの操作による時刻の指定（開始時刻及び終了時刻）を受けて、ユーザの操作により指定された時刻に放送されるテレビジョン信号に基く番組を光ディスク４０に録画、録音する動作である。時刻の指定は、光ディスクレコーダ１の電源がオンになっているときに、ユーザによるリモコン９の操作を受けて行われ、時刻予約録画動作は、時計６から出力される時刻信号（時計６の示す時刻）に基いて、ユーザにより指定された時刻になったときに自動的に行われる。時刻予約録画動作は、光ディスクレコーダ１の電源がオンになっているときと、光ディスクレコーダ１の電源がオフになっているときの、いずれのときにも行われる。すなわち、光ディスクレコーダ１の電源がオフになっているときには、制御部１１は、自動的に光ディスクレコーダ１の電源をオンにして、時刻予約録画動作による録画、録音を開始し、そして、時刻予約録画動作による録画、録音を終了した後、自動的に光ディスクレコーダ１の電源をオフにする。制御部１１等によって、時刻予約録画手段が構成されている。
【００２８】
録画番組再生動作とは、光ディスク４０に録画、録音されているテレビジョン信号に基く番組を外部装置９０によって視聴可能に再生する動作である。制御部１１は、光ディスク４０に記録されている映像データ及び音声データ（放送番組録画動作で記録された映像データ及び音声データ）を光ディスクドライブ４により読出させ、光ディスクドライブ４により読出された映像データ及び音声データをデコーダ５によりデコード処理させることにより、録画番組再生動作を行う。これにより、光ディスク４０に録画、録音されているテレビジョン信号に基く番組の映像信号及び音声信号が外部装置９０に供給され、光ディスク４０に録画、録音されているテレビジョン信号に基く番組が外部装置９０によって視聴可能に再生される。録画番組再生動作は、光ディスクレコーダ１の電源がオンになっているときに、ユーザによるリモコン９の操作を受けて行われる。
【００２９】
自動時刻修正動作とは、テレビジョン放送局から放送されるテレビジョン信号に含まれる時報信号に基いて、時計６の示す時刻を自動的に修正する動作である。制御部１１は、エンコーダ３によりテレビジョン信号から抽出された時報信号（時刻や日付の情報）を取得し、この時報信号に基いて作成した時刻を示す信号を時刻修正信号として時計６に与えることにより、自動時刻修正動作による時計６の示す時刻の修正（テレビジョン信号に含まれる時報信号に基く時計６の示す時刻の修正）を行う。これにより、時計６は、制御部１１から与えられる時刻修正信号によって時刻を修正し、時計６の示す時刻がテレビジョン信号に含まれる時報信号による時刻に修正される。制御部１１によって、自動時刻修正手段が構成されている。
【００３０】
自動時刻修正動作による時計６の示す時刻の修正は、ユーザによって光ディスクレコーダ１の電源がオンにされているときにおいて、所定の時刻修正条件を満たしたとき、及び、光ディスクレコーダ１の電源がオフになっているときにおいて、所定の時刻修正条件を満たしたときに行われる。
【００３１】
ユーザによって光ディスクレコーダ１の電源がオンにされているときの時刻修正条件は、時刻予約録画動作以外でテレビジョン信号を受信している状態（すなわち、通常録画動作又は放送番組視聴動作を行っている状態）において、受信中のテレビジョン信号に時報信号が含まれていて、かつ、ユーザによって電源がオンにされてから時計６の示す時刻を未だ一度も修正していないとき（及び一度修正した後に所定時間（例えば１時間）が経過する都度）である。時刻予約録画動作を除外しているのは、時刻予約録画動作中に時計６の示す時刻を修正すると、時刻予約録画動作による録画の終了時刻がユーザにより指定された終了時刻と異なってしまう可能性があるためである。制御部１１は、ユーザによって光ディスクレコーダ１の電源がオンにされたときにおいては、この時刻修正条件を満たすと、時計６の示す時刻を修正する。このとき、制御部１１は、そのときに受信中のテレビジョン信号に含まれる時報信号に基いて、時計６の示す時刻を修正する。
【００３２】
光ディスクレコーダ１の電源がオフになっているときの時刻修正条件は、時計６の示す時刻を修正して光ディスクレコーダ１の電源がオフになってから、時計６の示す時刻を修正することなく、規定時間（予め設定された少なくとも２４時間以上の時間）が経過し、かつ、光ディスクレコーダ１の電源がオフになっているときである。制御部１１は、光ディスクレコーダ１の電源がオフになっているときにおいては、この時刻修正条件を満たすと、時計６の示す時刻を修正する。このとき、制御部１１は、電源オフ時時刻修正動作を行って、時計６の示す時刻を修正する。電源オフ時時刻修正動作とは、光ディスクレコーダ１の電源を内部的に立ち上げて（電源をオンにして）、テレビジョン信号を受信し、テレビジョン信号に含まれる時報信号に基いて、時計６の示す時刻を修正し、その後、光ディスクレコーダ１の電源をオフにする動作である。
【００３３】
また、制御部１１は、上記規定時間（光ディスクレコーダ１の電源がオフになっているときの時刻修正条件における規定時間）をユーザによる操作を受けて設定する。規定時間は、少なくとも２４時間以上で、かつ、２４時間単位で設定される。すなわち、規定時間は、２４時間、４８時間、７２時間、・・・のいずれかの時間に設定される。制御部１１によって、規定時間設定手段が構成されている。
【００３４】
図２は、上記光ディスクレコーダ１の自動時刻修正動作のフローチャートを示す。制御部１１は、ユーザの操作を受けて、光ディスクレコーダ１の電源をオンしたとき（＃１でＹＥＳ）、その電源オン中に、上述のユーザによって光ディスクレコーダ１の電源がオンにされているときの時刻修正条件を満たすと（＃２でＹＥＳ）、時計６の示す時刻を修正する（＃３）。
【００３５】
そして、制御部１１は、ユーザの操作を受けて、光ディスクレコーダ１の電源をオフにしたとき（＃４でＹＥＳ）、その直前の電源オン中に時計６の示す時刻を修正した場合には（＃５でＹＥＳ）、タイマ８をクリアして（＃６）、タイマ８をスタートさせる（＃７）。
【００３６】
その後、制御部１１は、タイマ８から出力されるタイマ時間信号に基いて、タイマ８の測定時間（時間の測定を開始してからの経過時間）を判断する（＃８）。ここで、タイマ８の測定時間が規定時間（予め設定された少なくとも２４時間以上の時間）以上になっていなければ（＃８でＮＯ）、制御部１１は、上記＃１以降の処理を繰り返す。
【００３７】
タイマ８の測定時間が規定時間以上になれば（＃８でＹＥＳ）、上述の光ディスクレコーダ１の電源がオフになっているときの時刻修正条件を満たすことになるので、制御部１１は、上述の電源オフ時時刻修正動作を行って、時計６の示す時刻を修正する（＃９）。そして、制御部１１は、タイマ８をクリアして（＃１０）、タイマ８をスタートさせ（＃１１）、上記＃１以降の処理を繰り返す。
【００３８】
このような構成の光ディスクレコーダ１によれば、電源がオンになっているときに時計６の示す時刻が修正された場合には、その後に電源がオフになってから２４時間以上の規定時間が経過するまでは、電源オフ時時刻修正動作が行われない。すなわち、電源がオフになっているときに時計６の示す時刻が修正されるのは、電源がオンになっているときに時計６の示す時刻が修正されて電源がオフになってから、２４時間以上の規定時間が経過した以降となる。従って、従来の構成（１日に１回、ある特定の時刻において、電源がオフになっているときに、電源オフ時時刻修正動作を行って、時計６の示す時刻を自動的に修正する構成）と比較して、電源がオフになっているときに時計６の示す時刻が修正される回数（電源オフ時時刻修正動作が行われる回数）を減らすことができ、消費電力を抑えることができる。
【００３９】
なお、本発明は、上記実施形態の構成に限られず、種々の変形が可能である。例えば、所定の時刻に、電源がオンになっていてテレビジョン信号を受信している場合に、受信中のテレビジョン信号に含まれている時報信号に基いて、時計の示す時刻を自動的に修正するようにしてもよい。また、ユーザの操作を受けて光ディスクレコーダの電源をオフにするとき、テレビジョン信号を受信している場合に、受信中のテレビジョン信号に含まれている時報信号に基いて、時計の示す時刻を自動的に修正するようにしてもよい。また、本発明は、光ディスクレコーダに限られず、ハードディスクレコーダやテレビジョン受像機等、時計を備えてテレビジョン信号を受信する他の電子機器装置にも適用可能である。
【符号の説明】
【００４０】
１    光ディスクレコーダ（電子機器装置）
２    チューナ
３    エンコーダ
４    光ディスクドライブ
５    デコーダ
６    時計
７    時刻表示部
８    タイマ
９    リモコン
１０    リモコン受信部
１１    制御部（自動時刻修正手段、規定時間設定手段、時刻予約録画手段）
４０    光ディスク
９０    外部装置
９１    ディスプレイ
９２    スピーカ
【図１】
2011017655.tif 000003
【図２】
2011017655.tif 000004